(57)【要約】      （修正有）【課題】首のまわりにおける保温効果や装飾効果等を確保することに加え、天然の花や草木を利用した量的には僅かな香料等であっても十分なヒーリング効果を得れるようにして、相乗効果による各種首巻帯における付加価値及び多様性（多機能性）を高める。また、容易かつ低コストに実施できるようにする。【解決手段】首Ｎのまわりに巻いて使用する首巻帯１を構成するに際して、首巻帯本体２における所定の位置Ｘｓに、通気性を確保したポケット３を設け、このポケット３に、香りを放つ芳香物４を収容可能にする。【選択図】図４
0003112338.tif 000002
【実用新案登録請求の範囲】
【請求項１】
首のまわりに巻いて使用する首巻帯において、首巻帯本体における所定の位置に、通気性を確保したポケットを設け、このポケットに、香りを放つ芳香物を収容可能にしたことを特徴とする首巻帯。
【請求項２】
前記芳香物は、通気性のある袋にハーブを入れた香袋であることを特徴とする請求項１記載の首巻帯。
【請求項３】
前記首巻帯本体の長手方向における一側と他側に、互いに着脱可能な着脱部と被着脱部をそれぞれ設けることを特徴とする請求項１記載の首巻帯。
【考案の詳細な説明】
【技術分野】
【０００１】
本考案は、首のまわりに巻いて使用する首巻帯に関する。
【背景技術】
【０００２】
従来、首のまわりに巻いて使用する首巻帯としては、冬季等の寒い季節に首のまわりに巻いて防寒を図るマフラーが知られている。
【０００３】
また、このようなマフラーの機能性をより高める観点から改良したマフラーも、例えば、特開２００２−１４６６１２号公報で知られている。同公報で開示されるマフラーは、マフラーの布体における首が当たるところにポケットを設けるとともに、このポケットに使い捨てカイロを入れ、首を集中的に温めることができるようにしたものである。
【特許文献１】特開２００２−１４６６１２号
【考案の開示】
【考案が解決しようとする課題】
【０００４】
しかし、上述した従来のマフラーは、防寒性を高めるという観点からはそれ相応の効果を発揮するも単に防寒対策の延長線上に過ぎず、これ以上の他の付加価値を生じさせるものではない。したがって、マフラーの多様性（多機能性）を高める観点からは十分とは言えない。
【０００５】
一方、花や草木の香りは、気持ちを落ち着かせるなどのヒーリング効果のあることが知られている。しかし、天然の花や草木の場合、近くまで寄らないと十分な香りを得れないなど、日常空間に取り入れることが容易でないとともに、他方において、花の香りを放つ商品も各種市販されているが、この種の商品は、室内の消臭等を兼ねることから人工的な芳香剤を使用することも多く、ヒーリング効果の観点からは十分とは言えない。
【０００６】
本考案は、このような背景技術に存在する課題を解決した首巻帯の提供を目的とするものである。
【課題を解決するための手段】
【０００７】
本考案は、上述した課題を解決するため、首Ｎのまわりに巻いて使用する首巻帯１を構成するに際して、首巻帯本体２における所定の位置Ｘｓに、通気性を確保したポケット３を設け、このポケット３に、香りを放つ芳香物４を収容可能にしたことを特徴とする。
【０００８】
この場合、考案の好適な態様により、芳香物４は、通気性のある袋Ｓにハーブを入れた香袋４ｓを用いることができる。また、首巻帯本体２の長手方向における一側２ａと他側２ｂには、互いに着脱可能な着脱部５と被着脱部６をそれぞれ設けることができる。
【考案の効果】
【０００９】
このような構成を有する本考案に係る首巻帯１によれば、次のような顕著な効果を奏する。
【００１０】
（１）  首巻帯本体２における所定の位置Ｘｓに設けたポケット３に、香りを放つ芳香物４を収容可能にしたため、首Ｎのまわりに巻いて使用する首巻帯本体２により、首Ｎのまわりにおける保温効果や装飾効果等を確保できることに加え、顔の直ぐ近くにある芳香物４から香りを嗅ぐことができるため、天然の花や草木を利用した量的には僅かな香料等であっても十分なヒーリング効果を得れるなど、相乗効果による各種首巻帯１における付加価値及び多様性（多機能性）を高めることができる。
【００１１】
（２）  首巻帯本体２は、一般に市販されているマフラーやネッカチーフ（スカーフ）等をそのまま利用できるなど、容易かつ低コストに実施できるとともに、ポケット３に芳香物４を収容しない場合は、洗濯等も可能になるため、匂いが残る不具合が回避され、一般のマフラーやネッカチーフ等としてもそのまま利用できる。
【００１２】
（３）  好適な態様により、芳香物４として、通気性のある袋Ｓにハーブを入れた香袋４ｓを用いれば、色々な香りのハーブを様々な目的や気分等により使い分けることができ、更なる楽しみや興味性の向上に寄与できる。
【００１３】
（４）  好適な態様により、首巻帯本体２の長手方向における一側２ａと他側２ｂに、互いに着脱可能な着脱部５と被着脱部６をそれぞれ設ければ、例えば、就寝時における使用であってもポケット３（香袋４ｓ）の位置ズレを回避できるため、安定かつ確実な装着を実現できる。
【考案を実施するための最良の形態】
【００１４】
次に、本考案に係る最良の実施形態を挙げ、図面に基づき詳細に説明する。
【００１５】
まず、本実施形態に係る首巻帯１の構成について、図１〜図３を参照して説明する。
【００１６】
首巻帯１は首巻帯本体２を備える。この首巻帯本体２は、一般的なマフラーよりも短めの長さ、具体的には、図３に示すように、利用者Ｈの首Ｎに一回だけ巻くことができる長さを選定する。首巻帯本体２は、ベルベットのような肌触りの良い生地を用いて製作することが望ましいが、基本的には、毛糸を編んだ編物や布生地により一般的なマフラーと同様に製作することができる。
【００１７】
一方、首巻帯本体２における所定の位置Ｘｓには、通気性を確保したポケット３を設ける。所定の位置Ｘｓは、図１に示すように、首巻帯本体２における一側２ａ寄りの位置を選定し、特に、図３に示すように、利用者Ｈの首Ｎに巻いて装着した際に、顔Ｆの近傍に位置するように留意する。また、ポケット３は、図２に示すように、ほぼ全面にメッシュ（ネット）面を設けた矩形のシート１１を首巻帯本体２に縫い付ける等により設けることができ、これにより、十分な通気性が確保される。なお、ポケット３は、一端にポケット開口部３ｏを有するため、ボタン１２等の止具を付設することにより、ポケット開口部３ｏを開閉できるように構成することが望ましい。
【００１８】
さらに、このポケット３に収容可能な芳香物４を用意する。芳香物４としては、香りを発散しやすい通気性のある袋Ｓにハーブを入れた香袋（ポプリ）４ｓが望ましい。ハーブとしては、香りを放つ乾燥した花や草木或いは天然の花や草木から抽出したエキス等を使用することができる。この場合、様々な種類の香袋４ｓ…を用意し、目的や気分に応じて使い分けできるようにする。例えば、カモミールやラベンダー等を使用した香袋４ｓは、気持ちを安らかにすることができ、安眠に効果がある。ローズマリー等を使用した香袋４ｓは、頭がすっきりし、ボケ防止や集中力向上に効果がある。ミント類等を使用した香袋４ｓは、鼻がすっきりし、花粉症対策や気分転換に効果がある。このように、自由に選ぶことのできる香袋４ｓ…を用いれば、色々な香りのハーブを様々な目的や気分等により使い分けることができ、更なる楽しみや興味性を向上させることができる。
【００１９】
また、首巻帯本体２の長手方向における一側２ａと他側２ｂには、互いに着脱可能な着脱部５と被着脱部６をそれぞれ設ける。例示の着脱部５と被着脱部６は、互いに着脱する面ファスナを利用したものであり、着脱部５は、首巻帯本体２の一方の面（表面）に縫付或いは接着等により取付けるとともに、被着脱部６は、首巻帯本体２の反対側の面となる他方の面（裏面）に縫付或いは接着等により取付ける。このようなな着脱部５及び被着脱部６を設ければ、例えば、就寝時における使用であっても、ポケット３（香袋４ｓ）の位置ズレを回避でき、安定かつ確実な装着を実現できる利点がある。
【００２０】
次に、このように構成する本実施形態に係る首巻帯１の使用方法について、図１〜図３を参照して説明する。
【００２１】
前述したように、香袋４ｓは、目的や気分に応じて自由に選んで使用できるため、まず、使用する香袋４ｓを選択する。今、一例として、利用者Ｈが就寝する際に、安眠に効果があるカモミールを使用した香袋４ｓを選択した場合を想定する。
【００２２】
この場合、選択した香袋４ｓは、図２に示すように、ボタン１２を外したポケット開口部３ｏからポケット３の中に入れ、再度、ボタン１２を締める。そして、首巻帯１は、図３に示すように、利用者Ｈの背中側から首Ｎに巻き、首巻帯本体２の一側２ａと他側２ｂを交差させることにより、着脱部５と被着脱部６を装着（止着）する。そして、この状態で布団の中に入り、就寝することができる。図３は、この状態を示し、同図中、仮想線で示す符号２０は掛布団を示している。
【００２３】
これにより、首Ｎのまわりに巻いた首巻帯本体２により、首Ｎのまわりにおける保温効果を確保できることに加え、顔の直ぐ近くにある香袋４ｓからハーブの香りを嗅ぐことができるため、相乗効果による安眠に対する効果が高められる。
【００２４】
次に、本考案の変更実施形態に係る首巻帯１について、図４を参照して説明する。
【００２５】
変更実施形態に係る首巻帯１は、図４に示すように、一般に市販されているマフラーを、そのまま首巻帯本体２として利用したものである。したがって、この場合、首巻帯本体２の長さは比較的長くなるため、そのまま首Ｎに複数回にわたって巻くことにより装着することができ、着脱部５と被着脱部６は不要になる。また、ポケット３を設ける所定の位置Ｘｓは、このような一般のマフラーを使用した際の状態を考慮して任意に選定することができる。
【００２６】
なお、以上の実施形態（及び変更実施形態）では、首巻帯本体２として、マフラーを基本とした例を挙げ、特に、防寒性を考慮した場合を示したが、その他、各種の首巻帯本体２を利用することができる。
【００２７】
例えば、首巻帯本体２として、ネッカチーフ（スカーフ）等を利用すれば、季節に左右されることなく利用することができる。したがって、例えば、香袋４ｓとして、花粉症対策や気分転換に効果があるミント類等を使用した香袋４ｓを選択すれば、ネッカチーフによる首Ｎのまわりにおける装飾効果を確保できることに加え、顔の直ぐ近くにある香袋４ｓからハーブの香りを嗅ぐことができ、仕事や勉強等を行う際におけるヒーリング効果を高めることができる。
【００２８】
よって、このような本実施形態に係る首巻帯１によれば、首巻帯本体２における所定の位置Ｘｓに設けたポケット３に、香りを放つ香袋４ｓを収容可能にしたため、首Ｎのまわりに巻いて使用する首巻帯本体２により、首Ｎのまわりにおける保温効果や装飾効果等を確保できることに加え、顔Ｆの直ぐ近くにある香袋４ｓから各種ハーブの香りを嗅ぐことができるため、天然の花や草木を利用した量的には僅かな香料等であっても十分なヒーリング効果を得れるなど、相乗効果による各種首巻帯１における付加価値及び多様性（多機能性）を高めることができる。また、首巻帯本体２は、一般に市販されているマフラーやネッカチーフ（スカーフ）等をそのまま利用できるなど、容易かつ低コストに実施できるとともに、ポケット３に芳香物４を収容しない場合は、洗濯等も可能になるため、匂いが残る不具合が回避され、一般のマフラーやネッカチーフ等としてもそのまま利用できる利点がある。
【００２９】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３０】
例えば、首巻帯本体２として、本来首に巻いて使用することを目的としたマフラーやネッカチーフを例示したが、タオルや手ぬぐい等の首に巻くことができるもの、更には専用に作った生地等、本考案の目的を達成できる各種の首巻帯本体２を利用することができる。また、ポケット３は、ほぼ全面にメッシュ（ネット）面を設けた矩形のシート１１を用いた場合を例示したが、首巻帯本体２と同一の生地を利用し、ポケット３の存在を目立たなくしてもよいし、ポケット３の形状を、例えば、花や動物等の形状に象ることにより、積極的なアクセントとして利用してもよい。さらに、ポケット３に付設したボタン１２等の止具は任意に設けることができる。また、着脱部５と被着脱部６は、ボタン等を利用してもよいし、前述したように必ずしも設けることを要しない。
【図面の簡単な説明】
【００３１】
【図１】本考案の最良の実施形態に係る首巻帯の斜視図、
【図２】同首巻帯に設けたポケット及び香袋の正面図、
【図３】同首巻帯の使用方法説明図、
【図４】本考案の変更実施形態に係る首巻帯を使用した状態を示す正面図、
【符号の説明】
【００３２】
１    首巻帯
２    首巻帯本体
２ａ  首巻帯本体の長手方向における一側
２ｂ  首巻帯本体の長手方向における他側
３    ポケット
４    芳香物
４ｓ  香袋
５    着脱部
６    被着脱部
Ｎ    首
Ｘｓ  所定の位置
Ｓ    袋
【図１】
0003112338.tif 000003
【図２】
0003112338.tif 000004
【図３】
0003112338.tif 000005
【図４】
0003112338.tif 000006